(57)【要約】【課題】外周面に設けた凹所内に各種スイッチ、端子等を配置することによって前面全体をディスプレイにより占有できるように構成したＰＮＤの前記凹所をクレードルに設けた側部押え片によって保持する場合に、ＰＮＤの着脱操作によっても凹所内の塗膜が剥離することがない電子機器の支持構造を提供する。【解決手段】左右両側面の長手方向に沿って凹所３を備えた薄型且つ矩形状の電子機器１と、上面と前面が開放した収容空所を備えた平面形状が略コ字状であり、且つ前記電子機器の背面、底面及び左右両側面を夫々支持する背面支持部２１、底面支持部２５、及び左右の側面支持部３０を有したクレードル２０と、を備え、各側面支持部の各内側面には、電子機器の凹所３内にスライド自在に嵌合して電子機器の前後方向への脱落を防止する凸部３１を備え、凹所内にはその長手方向へ沿った所定の配置にて少なくとも二個のスペーサ小突起４が突設され、スペーサ小突起は凸部３１と接することにより該凸部と凹所内壁とを常時非接触状態に保持する。【選択図】図３
2009241844.tif 000002
【特許請求の範囲】
【請求項１】
ディスプレイを前面に備え且つ少なくとも左右両側面の長手方向に沿って凹所を備えた矩形状の電子機器と、
上面と前面が開放した収容空所を備えた平面形状が略コ字状であり、且つ前記電子機器の背面、底面及び左右両側面を夫々支持する背面支持部、底面支持部、及び左右の側面支持部を有したクレードルと、を備え、
前記クレードルの前記各側面支持部の各内側面には、前記電子機器の凹所内にスライド自在に嵌合して前記電子機器の前後方向への脱落を防止する凸部を備え、
前記凹所内にはその長手方向へ沿った所定の配置にて少なくとも二個のスペーサ小突起が突設され、該スペーサ小突起は前記クレードルの前記凸部と接することにより該凸部と前記凹所内壁とを常時非接触状態に保持することを特徴とする電子機器の支持構造。
【請求項２】
前記クレードルの背面支持部に設けた穴の内部に退避した位置と穴の外部へ突出した位置との間を出没自在に支持されると共に常時突出方向へ弾性付勢された係止突起を備え、
前記電子機器の背面には、該電子機器が前記収容空所内に装着状態にあるときに突出状態にある前記係止突起を嵌合させて前記クレードルに対する前記電子機器の上方への変位を規制する凹部が設けられ、
前記クレードルは手動操作により前記係止突起を前記穴内部に退避させるためのレバーを備えていることを特徴とする請求項１に記載の電子機器の支持構造。
【請求項３】
前記クレードルの底面支持部には、位置決め突起と、フローティングコネクタが突設されており、
前記電子機器の底面には、前記位置決め突起と嵌合する位置決め凹部と、前記フローティングコネクタと電気的機械的に接続するリセプタクルが配置されていることを特徴とする請求項１、又は２に記載の電子機器の支持構造。
【発明の詳細な説明】
【技術分野】
【０００１】
本発明は小型且つ薄型の電子機器をクレードルによって支持する構造の改良に関する。
【背景技術】
【０００２】
車載用の小型電子機器、例えば簡易タイプの携帯型カーナビゲーション装置として多用されているＰＮＤ（Personal Navigation Device、又はPortable Navigation Deviceとも言う）を車室内に設置する際には、ＰＮＤを支持するクレードルを介してスタンド上部に取付け、スタンド自体はその基部を吸盤、両面テープ等によってダッシュボード、窓ガラス等に取り付ける。
図６は従来のクレードルと吸盤式スタンドによるＰＮＤの支持構造を示す図であり、図７（ａ）乃至（ｄ）は従来のクレードルの構成説明図である。
このＰＮＤの支持構造は、図６及び図７に示すように、スタンド１００の先端部に支持された板状のクレードル１１０の前面（ＰＮＤ１２０との接触面）とＰＮＤ１２０の裏面（クレードル１１０との接触面）とに係合部材をそれぞれ設け、この係合部材によってＰＮＤ１２０を着脱自在に支持した構成を備えている。具体的には、スタンド１００は、アーム１０１と、アーム１０１の基部に設けた回動操作部１０２と、回動操作部１０２の底部に設けた吸盤１０３と、アーム１０１の先端部に回動自在に軸支したアタッチメント１０５と、を備えている。アタッチメント１０５はアーム先端部により支持されたボールジョイント１０６によって回動自在に支持されている。クレードル本体１１１の前面には図７に示した如き２つの係合片１１２が突設されている。ボールジョイント１０６は後方へ延びる棒１０６ａの端部ネジ部に締結ノブ１０６ｂを螺着した構成を備え、締結ノブ１０６ｂを締め付けることによりアタッチメント１０５及びクレードル１１０を任意の方向に固定することができる。
【０００３】
ＰＮＤ１２０は前面にディスプレイ１２１を有すると共に背面には連結部１２２を備えており、この連結部１２２にはクレードル本体１１１に設けた各係合片１１２とスライド係合可能な二個の溝１２２ａが形成されている（図７（ｄ））。この例では、各係合片１１２の上端部に対してＰＮＤの連結部１２２に設けた各溝１２２ａの下部を差し込んでからＰＮＤ１２０を下方へスライドさせることによりＰＮＤ１２０の装着が完了する。
しかし、ＰＮＤ１２０は、クレードル１１０の前面に設けた係合片１１２と、ＰＮＤ１２０の背面に設けた溝１２２ａとの単純な係合だけによって支持されているため、スタンド１００の吸盤１０３を車室内のダッシュボードに取り付けた場合には、振動、衝撃、特に上下方向への振動等によってＰＮＤがクレードルから位置ずれしたり、脱落し易いばかりでなく、前後方向への振動によってもがたつきが発生し易い。
また、特許文献１に記載されているように、対象となる電子機器をその背面のみではなく、当該電子機器の下部をその全周囲に亘って包み込んで保持するクレードルも知られているが、やはり車両に搭載する場合には振動や衝撃による電子機器の脱落が懸念される上に、電子機器の前面の一部がクレードルによって覆われてしまうため、ＰＮＤのように表示部を前面に備えるような電子機器では、表示部の一部が見えなくなってしまうため好ましくない。また、特許文献２には、表面に操作部のある電子機器（携帯電話）のクレードルが開示されており、ここでは前面を覆うクレードルの領域が小さくなるような構造も提案されているが、保持力を十分とするためにクレードルに設置される電子機器の上部を押さえ込む構造を用いているために、クレードル自体の大型化が避けられない。さらに、クレードルが電子機器の上下左右から挟みこんで保持する構造であるため、挿入や取り出しの作業が煩わしくなる。
【０００４】
このような不具合に対処すべく、図８の平面図に示した如くクレードル本体１１１の両側方から前方に突出した側部押え片１１３の先端に設けた屈曲片１１３ａを、ＰＮＤ１２０の両側面に、前記側部押え辺１１３に対応して設けた縦長の細溝１２３内に嵌合させ、スライドさせるようにしたクレードルも提案されている。このように、クレードル本体１１１によって、ＰＮＤ１２０を側面のスライド構造と裏面とから包み込むことでがたつきやＰＮＤの脱落を防止しようというものである。しかし、ＰＮＤの両側面に設けた縦長の細溝１２３は溝幅が通常１〜２ｍｍ程度であり、この細溝内に嵌合する屈曲片１１３ａも１〜２ｍｍ未満の厚みを有するに過ぎないため、機械的な保持力が十分でなく、振動、衝撃により脱落したり、或いは屈曲片１１３ａが破損することがあった。また、細溝１２３内に屈曲片１１３ａを差し込む際の位置合わせが難しく装着操作性が悪化する。更に、細溝１２３内に塗装を施した場合、屈曲片１１３ａとの摺擦によって塗装が剥げて外観が悪化する虞がある。また、携帯可能なＰＮＤのような電子機器を車両に搭載するときにおいては、走行時に振動を常に受けるため、このような問題は特に対応が求められる。同時に、盗難等への対策として乗車時にのみクレードルに搭載し、下車時には取り外して持ち出すことが考えられ、搭載時には脱落することなく保持することが求められるが、ユーザの意思により取り外すときには容易に取り外し可能であることが求められる。
上記の如き不具合は、ＰＮＤのみならず、車載用の電子機器、特に薄型、小型の電子機器において発生する問題である。
【特許文献１】特開２００５−２０８３１１公報
【特許文献２】特開２００７−２８８５９３公報
【発明の開示】
【発明が解決しようとする課題】
【０００５】
以上のように外周面に設けた凹所内に各種スイッチ、端子等を配置することによって前面全体をディスプレイにより占有できるように構成したＰＮＤ等の電子機器をクレードルによって保持する場合、ＰＮＤの背面を保持する背面保持部のみならず、両側面を保持するための側部押え片を設けてＰＮＤの凹所内に側部押え片に設けた突部を嵌合させる必要があるが、ＰＮＤをクレードルにスライドさせて着脱する際に側部押え片が凹所と摺擦して凹所内の塗膜を剥がして外観を悪化させるという問題があった。
本発明は上記に鑑みてなされたものであり、外周面に設けた凹所内に各種スイッチ、端子等を配置することによって前面全体をディスプレイにより占有できるように構成したＰＮＤの前記凹所をクレードルに設けた側部押え片によって保持する場合に、ＰＮＤの着脱操作によっても凹所内の塗膜が剥離することがない電子機器の支持構造を提供すること目的としている。
【課題を解決するための手段】
【０００６】
上記目的を達成するため、請求項１の発明に係る電子機器の支持構造は、ディスプレイを前面に備え且つ少なくとも左右両側面の長手方向に沿って凹所を備えた矩形状の電子機器と、上面と前面が開放した収容空所を備えた平面形状が略コ字状であり、且つ前記電子機器の背面、底面及び左右両側面を夫々支持する背面支持部、底面支持部、及び左右の側面支持部を有したクレードルと、を備え、前記クレードルの前記各側面支持部の各内側面には、前記電子機器の凹所内にスライド自在に嵌合して前記電子機器の前後方向への脱落を防止する凸部を備え、前記凹所内にはその長手方向へ沿った所定の配置にて少なくとも二個のスペーサ小突起が突設され、該スペーサ小突起は前記クレードルの前記凸部と接することにより該凸部と前記凹所内壁とを常時非接触状態に保持することを特徴とする。
電子機器の側面に設けた凹所内面は、クレードルの側面支持部に設けた凸部とは直接接触することなく、スペーサ小突起を介した極めて狭い接触面積でしか接触しない。このため、凹所内に凸部がスライドするように電子機器をクレードルに装着する過程で凹所内面と凸部との摺擦する範囲が極限され、凹所内の塗膜等の耐久性を向上できる。また、電子機器をクレードルにより支持した状態において小突起はがたつきを防止する機能も発揮する。
【０００７】
請求項２の発明は、請求項１において、前記クレードルの背面支持部に設けた穴の内部に退避した位置と穴の外部へ突出した位置との間を出没自在に支持されると共に常時突出方向へ弾性付勢された係止突起を備え、前記電子機器の背面には、該電子機器が前記収容空所内に装着状態にあるときに突出状態にある前記係止突起を嵌合させて前記クレードルに対する前記電子機器の上方への変位を規制する凹部が設けられ、前記クレードルは手動操作により前記係止突起を前記穴内部に退避させるためのレバーを備えていることを特徴とする。
クレードルの側面支持部のみによる支持だけでは電子機器を十分に保持し切れないため、電子機器の背面に設けた凹部をクレードル前面に設けた係止突起により係止して振動、衝撃によるがたつきを防止する。この係止突起はレバーを操作することによりワンタッチで凹部から離脱することができる。
【０００８】
請求項３の発明は、請求項１、又は２において、前記クレードルの底面支持部には、位置決め突起と、フローティングコネクタが突設されており、前記電子機器の底面には、前記位置決め突起と嵌合する位置決め凹部と、前記フローティングコネクタと電気的機械的に接続するリセプタクルが配置されていることを特徴とする。
フローティングコネクタは電子機器に振動、衝撃が加わった場合にも、電子機器の動作に追従してリセプタクルとの間の接続状態を維持し続けることができる。
【発明の効果】
【０００９】
本発明は、クレードルの各側面支持部の各内側面に、電子機器の両側面に設けた凹所内にスライド自在に嵌合して前記電子機器の前後方向への脱落を防止する凸部を設けた。この凹所内にはその長手方向へ沿った所定の配置にて少なくとも二個のスペーサ小突起が突設され、該スペーサ小突起はクレードルの凸部と接することにより該凸部と凹所内壁とを常時非接触状態に保持する。このため、電子機器の側面に設けた凹所内面は、クレードルの側面支持部に設けた凸部とは直接接触することなく、スペーサ小突起を介した極めて狭い接触面積でしか接触しない。このため、凹所内に凸部がスライドするように電子機器をクレードルに装着する過程で凹所内面と凸部との摺擦する範囲が極限され、凹所内の塗膜等の耐久性を向上できる。また、電子機器をクレードルにより支持した状態において小突起はがたつきを防止して、安定して保持すると共に、着脱を容易とする機能も発揮する。
【発明を実施するための最良の形態】
【００１０】
以下、本発明を図面に示した実施の形態により詳細に説明する。
図１は本発明に係るクレードルと電子機器（ＰＮＤ）との関係を示す斜視図であり、図２（ａ）及び（ｂ）は本発明の電子機器の支持構造の一例を示す正面側斜視図、及び背面側斜視図であり、図３（ａ）及び（ｂ）はクレードルの平面図、及び要部拡大断面図であり、図４（ａ）及び（ｂ）は電子機器単体の正面側斜視図、及び背面側斜視図である。
本実施形態における電子機器は、車載用の小型電子機器、例えば簡易タイプの携帯型カーナビゲーション装置として多用されているＰＮＤ（Personal Navigation Device/Portable Navigation Device）１である。このＰＮＤ１を自動車の車室内に設置する際には、吸盤式スタンド４０の先端部に取付けたクレードル２０によりＰＮＤ１を支持し、スタンドはその基部を吸盤４３によってダッシュボード、窓ガラス等に取り付けられる。
ＰＮＤ１は、スタンド４０の先端部に支持されたクレードル２０によって着脱自在に支持されている。スタンド４０は、アーム４１と、アーム４１の基部に設けた回動操作部４２と、回動操作部４２の底部に設けた吸盤４３と、アーム４１の先端部に回動自在に軸支したアタッチメント４５と、を備えている。アタッチメント４５はアーム先端部により支持されたボールジョイント４６によって回動自在に支持されている。
ボールジョイント４６は図示しないボール部から後方へ延びる棒４６ａのネジ部に締結ノブ４６ｂを螺着した構成を備え、締結ノブ４６ｂを締め付けることによりアタッチメント４５及びクレードル２０を任意の方向に固定することができる。
【００１１】
図２、図４等に示すように、ＰＮＤ１は前面にディスプレイ２を有した薄型且つ矩形状であると共に、側面、背面、及び底面に夫々被連結部（側面被連結部Ａ、背面被連結部Ｂ、底面被連結部Ｃ）を備えており、各被連結部はクレードル２０側に夫々対応して設けられた各連結部（（側面連結部Ａ｀、背面連結部Ｂ｀、底面連結部Ｃ｀）と着脱自在に連結するように構成されている。
ＰＮＤ１は、少なくとも左右両側面の長手方向全長に亘って凹所（側面被連結部Ａ）３を備えている。なお、本例では外周面全長に亘って凹所３が形成されている。全周に亘る凹所３内に電源スイッチ、ＳＴカード用スロット、ヘッドホン穴、ＵＳＢコネクタ、多ピンコネクタを配置することにより、外径方向への突出物をなくし、しかも前面全体をディスプレイにより占有させることが可能となる。
【００１２】
図３（ａ）に示すように、クレードル２０は、上面と前面が開放した収容空所Ｄを備えた平面形状が略コ字状であり、且つＰＮＤ１をその底部から下降させて収容空所Ｄ内に装着完了したときにＰＮＤの背面、底面及び左右両側面を夫々支持する背面支持部２１、底面支持部２５、及び左右の側面支持部３０を有している。側面支持部３０は弾性的に内外方向へ変形可能に構成されているため、収容空所Ｄ内にＰＮＤ１を装着したときにその両側面に弾性的に圧着して保持することができる。背面支持部２１には、ＰＮＤの背面を弾性的に支持する弾性材料から成る図示しない摩擦パッドを適所に設けることにより緩衝効果、ずれ防止効果を発揮させることが好ましい。
このようにＰＮＤの背面、底面、及び左右両側面をクレードルの背面支持部２１、底面支持部２５、及び左右の側面支持部３０により支持する構成としたので、クレードルの一部がＰＮＤ１の前面に設けられたフルフラットタッチパネルとしてのディスプレイ２側に突出するなどの干渉がなくなり、ディスプレイの視認性、及び操作性が向上する。
クレードル２０の各側面支持部３０の各内側面（側面連結部Ａ｀）には、ＰＮＤ１の側面に設けた凹所３内にスライド自在に嵌合してＰＮＤの前後方向への脱落を防止する凸部（段差部）３１を備えている。
【００１３】
更に、ＰＮＤ１の両側面に夫々設けた凹所３内にはその長手方向（上下方向）へ沿った所定の配置にて少なくとも二個のスペーサ小突起４が突設され、各スペーサ小突起４はクレードルの凸部３１と接することにより凸部３１と凹所３内壁とを常時非接触状態に保持する。スペーサ小突起４は凹所３内に凸部３１が装着完了した状態で凹所３に当接することによりがたつきなく、しかも安定性よくＰＮＤ１を側面支持部３０間に支持できるように配置個数、配置間隔、突出量などを適切に設定する。ここでは、図４の（ａ）及び（ｂ）にて示されるように、ＰＮＤ１の凹所３において、ＰＮＤ１の裏面側の傾斜部にスペーサ小突起４が設けられている。これによって、クレードルの凸部３１と当接し、ＰＮＤ１をクレードルの背面方向へと押し付ける効果が得られる。ＰＮＤ１の両側面に設けた凹所３に沿ってクレードル側の凸部３１がスライドする過程においても、また装着完了した状態においても、一貫して凸部３１と摺接するのはスペーサ小突起４のみであるため、がたつきを防止しつつ、ＰＮＤ側面に形成した塗膜が剥げることを防止し、外観の悪化を防止できる。
【００１４】
次に、図５（ａ）及び（ｂ）はクレードルとＰＮＤとの背面側連結部の構成を示す断面図である。クレードル２０に設けた背面支持部２１（背面連結部Ｂ｀）は、ＰＮＤ１の背面被連結部Ｂを支持する構成を備えており、クレードル２０の前面（前壁）に形成した穴２２と、穴２２の内部に退避した位置と穴の外部へ突出した位置との間を出没自在に支持されると共に図示しない弾性部材により常時突出方向へ弾性付勢された係止突起２３と、を備えている。係止突起２３は、クレードルの背面支持部２１内部に配置されて回動軸２４ｂを中心として前後方向へ回動自在に軸支されたレバー２４の先端部２４ａに設けられており、図示しない弾性部材によりレバー２４を付勢することにより係止突起２３は穴２２から前方へ突出した状態となる。レバー２４の先端部２４ａは背面支持部２１に上面に設けた開口２１ａから上方へ突出し、ワンタッチによる手動操作により先端部２４ａを後動させることにより係止突起２３を穴２２から後退させて固定解除することができる。
【００１５】
一方、ＰＮＤ１の背面には、ＰＮＤが収容空所Ｄ内に装着状態にあるときに突出状態にある係止突起２３を嵌合させてクレードルに対するＰＮＤの上方への変位を規制する凹部（又は孔）５が設けられている。ＰＮＤ背面の凹部５にクレードル前面の係止突起２３が嵌合して係止されることにより、上述したＰＮＤの側面からの支持構造に加え、車載時の振動、衝撃によってＰＮＤがクレードルから脱落する不具合をより確実に防止できる。
また、クレードル２０の底面支持部２５には、位置決め突起２６と、フローティングコネクタ２７が突設されており、ＰＮＤ１の底面には、位置決め突起２６と嵌合する位置決め凹所６と、フローティングコネクタ２７と電気的機械的に接続する図示しないリセプタクルが配置されている。位置決め突起２６は位置決め凹所６と嵌合することによりＰＮＤ底部の前後左右位置を確定する。位置決め突起２６は特にＰＮＤの底部が前後方向へ振れることを防ぐ効果を有している。フローティングコネクタ２７は周知の技術によって浮動的に（非リジッドに）支持されているため、振動、衝撃によってＰＮＤ１がクレードル２０に対して相対的に動作したとしても、それに追従して柔軟に動作するため、ＰＮＤ側のリセプタクルとの間の電気的接続、導通を維持し続けることができる。
【００１６】
以上のように本発明においては、クレードル２０の側面支持部３０の内側面に設けた凸部３１を、ＰＮＤ１の両側面に設けた凹所３内に嵌合可能に構成し、ＰＮＤの着脱時には凹所３の長手方向に沿って凸部３１をスライドさせるようにしている。一方、凹所３内にはその長手方向に沿った所定の配置にて複数個のスペーサ小突起４を突設することにより、凸部３１と凹所３内壁との接触部（摺接部）をスペーサ小突起４の頂部のみに極限している。このため、ＰＮＤをクレードルの側面支持部３０に対してスライドさせる際におけるがたの発生を防止しつつ、凹所３内の塗装が多量に剥げて外観が悪化することがなくなる。ＰＮＤをクレードルに装着した状態においても、スペーサ小突起４によるスペーサ機能によりＰＮＤのがたつきの発生が防止される。
即ち、ＰＮＤ１の側面に設けた凹所３内面は、クレードルの側面支持部に設けた凸部３１とは直接接触することなく、スペーサ小突起を４介した極めて狭い接触面積でしか接触しない。このため、凹所内に凸部がスライドするように電子機器をクレードルに装着する過程で凹所内面と凸部との摺擦する範囲が極限され、凹所内の塗膜等の耐久性を向上できる。また、ＰＮＤをクレードルにより支持した状態において小突起はがたつきを防止する機能も発揮する。
なお、上記実施形態では電子機器の一例としてＰＮＤを示したが、本発明を適用可能な電子機器はＰＮＤに限定されるものではない。
【図面の簡単な説明】
【００１７】
【図１】本発明に係るクレードルと電子機器（ＰＮＤ）との関係を示す斜視図である。
【図２】（ａ）及び（ｂ）は本発明の電子機器の支持構造の一例を示す正面側斜視図、及び背面側斜視図である。
【図３】（ａ）及び（ｂ）はクレードルの平面図、及び要部拡大断面図である。
【図４】（ａ）及び（ｂ）は電子機器単体の正面側斜視図、及び背面側斜視図である。
【図５】（ａ）及び（ｂ）はクレードルとＰＮＤとの背面側連結部の構成を示す断面図である。
【図６】従来のクレードルと吸盤式スタンドによるＰＮＤの支持構造を示す図である。
【図７】（ａ）乃至（ｄ）は従来のクレードルの構成説明図である。
【図８】他の従来例の構成と欠点を示す平面図である。
【符号の説明】
【００１８】
１…ＰＮＤ、２…ディスプレイ、３…凹所、４…スペーサ小突起、５…凹部、６…凹所、２０…クレードル、２１…背面支持部、２１ａ…開口、２２…穴、２３…係止突起、２４…レバー、２４ａ…先端部、２４ｂ…回動軸、２５…底面支持部、２６…突起、２７…フローティングコネクタ、３０…側面支持部、３１…凸部、３１…突部、４０…スタンド、４１…アーム、４２…回動操作部、４３…吸盤、４５…アタッチメント、４６…ボールジョイント、４６ａ…棒、４６ｂ…締結ノブ
【図１】
2009241844.tif 000003
【図２】
2009241844.tif 000004
【図３】
2009241844.tif 000005
【図４】
2009241844.tif 000006
【図５】
2009241844.tif 000007
【図６】
2009241844.tif 000008
【図７】
2009241844.tif 000009
【図８】
2009241844.tif 000010